(57)【要約】【課題】クロストーク現像が発生しない発光素子およびその駆動方法を提供する。【解決手段】本発明の発光素子は、パネル300、制御部302、第１スキャン駆動部304、第２スキャン駆動部306、放電部308、プリチャージ部310及びデータ駆動部312を含む。この発光素子は、データラインD1〜D4、スキャンラインS1〜S4、複数のピクセル及び放電部308を有し。データラインは、第１方向に配列され、スキャンラインは、第１方向と異なる第２方向に配列される。ピクセルは、データラインとスキャンラインが交差する領域に形成される。放電部308は、少なくとも２個のデータラインを放電させる。ここで、２つのデータラインは互いに異なる放電電圧まで放電される。発光素子により、放電電圧がカソード電圧に応じて変化されるので、クロストーク現象が発生しない。【選択図】図３
2007156389.tif 000002
【特許請求の範囲】
【請求項１】
第１方向に配列されたデータラインと、
前記第１方向と異なる第２方向に配列されたスキャンラインと、
前記データラインと前記スキャンラインが交差する領域に形成される複数のピクセルと、
少なくとも２個のデータラインを放電させる放電部とを含み、
前記２つのデータラインは、互いに異なる放電電圧まで放電されることを特徴とする発光素子。
【請求項２】
少なくとも一つのデータラインは、このデータラインに対応したピクセルのカソード電圧に相当する放電電圧まで放電されることを特徴とする請求項１に記載の発光素子。
【請求項３】
前記放電部は、前記データライン中の一つに第１電圧を供給し、他のデータラインに第２電圧を供給し、
前記第１電圧は、前記第２電圧と異なる大きさを有することを特徴とする請求項１に記載の発光素子。
【請求項４】
前記放電部は、
最外郭データライン中の第１最外郭データラインに第１電圧を供給する第１サブ放電部と、
第２最外郭データラインに第２電圧を供給する第２サブ放電部と、を含むことを特徴とする請求項１に記載の発光素子。
【請求項５】
前記第２電圧は、前記第１電圧と異なる大きさを有することを特徴とする請求項４に記載の発光素子。
【請求項６】
前記放電部は、さらに、
前記最外郭データライン間に位置するデータライン中の一つに第３電圧を供給する第３サブ放電部を含むことを特徴とする請求項４に記載の発光素子。
【請求項７】
前記サブ放電部中の少なくとも一つは、
出力端が対応するデータラインに連結されるバッファーと、
前記バッファーの入力端に連結されるデジタル−アナログ変換器（ＤＡＣ）と、を含むことを特徴とする請求項４に記載の発光素子。
【請求項８】
前記放電部は、
前記データラインを所定放電電圧まで放電させる第１サブ放電部と、
最外郭データライン中の第１最外郭データラインに第１電圧を供給する第２サブ放電部と、
第２最外郭データラインに第２電圧を供給する第３サブ放電部と、を含むことを特徴とする請求項１に記載の発光素子。
【請求項９】
前記第１サブ放電部は、
前記データラインに連結されるツェナーダイオードを含み、
前記第２サブ放電部及び第３サブ放電部中の少なくとも一つは、
出力端が対応するデータラインに連結されるバッファーと、
前記バッファーの入力端に連結されるデジタル−アナログ変換器（ＤＡＣ）と、を含むことを特徴とする請求項８に記載の発光素子。
【請求項１０】
前記第２電圧は、前記第１電圧と異なる大きさを有することを特徴とする請求項８に記載の発光素子。
【請求項１１】
前記発光素子は、さらに、
前記スキャンラインにスキャン信号を伝送するスキャン駆動部と、
前記データラインにデータ信号を伝送するデータ駆動部と、を含むことを特徴とする請求項１に記載の発光素子。
【請求項１２】
前記発光素子は、
前記スキャンライン中の一部に第１スキャン信号を伝送する第１スキャン駆動部と、
残りのスキャンラインに第２スキャン信号を伝送する第２スキャン駆動部と、
前記データラインにデータ信号を伝送するデータ駆動部と、を含むことを特徴とする請求項１に記載の発光素子。
【請求項１３】
前記発光素子は、有機電界発光素子であることを特徴とする請求項１に記載の発光素子。
【請求項１４】
データラインとスキャンラインが交差する発光領域に形成される複数のピクセルを含む発光素子を駆動する方法において、
前記データライン中の第１最外郭データラインに第１電圧を供給する段階と、
第２最外郭データラインに第２電圧を供給する段階とを含み、
前記スキャンラインに対応したピクセルの各アノード電圧は、対応するカソード電圧に応じて異なる大きさを有することを特徴とする発光素子駆動方法。
【請求項１５】
前記データラインは、前記印加された電圧によって前記ピクセルのカソード電圧に対応する放電電圧まで放電されることを特徴とする請求項１４に記載の発光素子駆動方法。
【請求項１６】
前記第１電圧を印加する段階は、
第１外部電圧によって第１レベル電圧を出力する段階と、前記出力された第１レベル電圧によって前記第１最外郭データラインに第１電流を供給する段階とを含み、
前記第２電圧を印加する段階は、
第２外部電圧によって第２レベル電圧を出力する段階と、前記出力された第２レベル電圧によって前記第２最外郭データラインに第２電流を供給する段階とを含むことを特徴とする請求項１４に記載の発光素子駆動方法。
【請求項１７】
前記発光素子駆動方法は、さらに、
前記最外郭データライン間に位置するデータライン中の一つに第３電圧を供給する段階を含むことを特徴とする請求項１４に記載の発光素子駆動方法。
【発明の詳細な説明】
【技術分野】
【０００１】
本発明は、発光素子及びその駆動方法に関する。さらに詳しくは、クロストーク現象が発生しない発光素子及びその駆動方法に関するものである。
【背景技術】
【０００２】
発光素子は、所定電圧が印加される場合に所定波長を有する光を発生させる。図１は、従来の発光素子を図示したブロック図である。
図１を参照すれば、発光素子は、パネル１００、制御部１０２、第１スキャン駆動部１０４、第２スキャン駆動部１０６、放電部１０８、プリチャージ部１１０及びデータ駆動部１１２を含んでいる。
【０００３】
パネル１００は、データラインＤ１〜Ｄ４とスキャンラインＳ１〜Ｓ４が交差する発光領域に形成される複数のピクセルＥ１１〜Ｅ４４を含む。
制御部３０２は、外部装置から表示データを受信し、受信された表示データを用いてスキャン駆動部１０４及び１０６、放電部１０８、プリチャージ部１１０及びデータ駆動部１１２の動作を制御する。
【０００４】
第１スキャン駆動部１０４は、スキャンラインＳ１〜Ｓ４中の一部（例えば、Ｓ１及びＳ３）に第１スキャン信号を伝送する。第２スキャン駆動部１０６は、残りのスキャンラインＳ２及びＳ４に第２スキャン信号を伝送する。その結果、スキャンラインＳ１〜Ｓ４が順次、アースに接続される。
【０００５】
放電部１０８は、データラインＤ１〜Ｄ４に連結され、放電時データラインＤ１〜Ｄ４を所定放電電圧まで放電させる。例えば、放電部１０８は、その内部に含まれたツェナーダイオード（ＺＤ）を利用してデータラインＤ１〜Ｄ４をツェナーダイオード（ＺＤ）のツェナー電圧まで放電させる。
【０００６】
プリチャージ部１１０は、制御部１０２の制御によって表示データに該当するプリチャージ電流を放電されたデータラインＤ１〜Ｄ４に供給する。
データ駆動部１１２は、制御部１０２の制御によって表示データに該当するデータ信号、即ち、データ電流をプリチャージされたデータラインＤ１〜Ｄ４に供給する。その結果、ピクセルＥ１１〜Ｅ４４は発光する。
【０００７】
図２（ａ）及び（ｂ）は、図１の発光素子を概略的に示した回路図であり、図２（ｃ）及び（ｄ）は、発光素子の駆動過程を示したタイミング図である。
以下、カソード電圧ＶＣ１１〜ＶＣ４４を説明した後、発光素子の駆動過程を詳述する。
【０００８】
第１スキャンラインＳ１に該当するピクセルＥ１１〜Ｅ４１のカソード電圧ＶＣ１１〜ＶＣ４１は、説明の便宜のために、カソード電圧ＶＣ１１〜ＶＣ４４の例として詳述する。
【０００９】
図２（ａ）に示すように、第１１ピクセルＥ１１とアースと間の抵抗は、スキャン抵抗ＲSであり、第２１ピクセルＥ２１とアースと間の抵抗は、ＲS＋ＲPである。また、第３１ピクセルＥ３１とアースと間の抵抗は、ＲS＋２ＲPであり、第４１ピクセルＥ４１とアースと間の抵抗は、ＲS＋３ＲPである。ここで、ピクセルＥ１１〜Ｅ４１のカソード電圧ＶＣ１１〜ＶＣ４１は、該当ピクセルとアースと間の抵抗値に比例するので、第４１カソード電圧ＶＣ４１、第３１カソード電圧ＶＣ３１、第２１カソード電圧ＶＣ２１及び第１１カソード電圧ＶＣ１１の順に大きくなる。
【００１０】
図２（ｂ）を参照すれば、第１２ピクセルＥ１２とアースと間の抵抗は、ＲS＋３ＲPであり、これにより、第１２カソード電圧ＶＣ１２が第１１カソード電圧ＶＣ１１より大きい。
以下、発光素子を駆動させる過程を詳述する。
【００１１】
スイッチＳＷがターン−オンされ、これにより、データラインＤ１〜Ｄ４が第１放電時間dcha１の間、所定放電電圧まで放電される。この場合、スキャンラインＳ１〜Ｓ４が発光素子の駆動電圧と同じ大きさの電圧を有する非発光源に連結される。
【００１２】
次いで、第１表示データに該当するプリチャージ電流が、データラインＤ１〜Ｄ４に供給される。続けて、第１スキャンラインＳ１が、図２（ａ）に示すようにアースに接続されて、残りのスキャンラインＳ２〜Ｓ４は非発光源に連結される。
【００１３】
次いで 、第１表示データに該当するデータ電流Ｉ１１、Ｉ２１、Ｉ３１及びＩ４１が、データラインＤ１〜Ｄ４に供給される。その結果、ピクセルＥ１１〜Ｅ４１が第１発光時間ｔ１の間、発光する。
【００１４】
以下、第４１ピクセルＥ４１と第１１ピクセルＥ１１とが同じ輝度で発光するように設計されたとする。
放電時、データラインＤ１及びＤ４が、所定放電電圧まで同様に放電されるので、ピクセルＥ１１及びＥ４１のアノード電圧ＶＡ１１及びＶＡ４１は、データ電流Ｉ１１及びＩ４１によって図２（ｄ）に示すように同じ大きさを有する。
【００１５】
この場合、第１１ピクセルＥ１１は、第１１アノード電圧ＶＡ１１と第１１カソード電圧ＶＣ１１との差に該当する輝度で発光し、第４１ピクセルＥ４１は、第４１アノード電圧ＶＡ４１と第４１カソード電圧ＶＣ４１との差に該当する輝度で発光する。ここで、第１１アノード電圧ＶＡ１１と第４１アノード電圧ＶＡ４１とが同じ大きさを有しているのに対して、第４１カソード電圧ＶＣ４１は、第１１カソード電圧ＶＣ１１より大きな値を有する。従って、同じ輝度で発光するように既設定されたにもかかわらず、第４１ピクセルＥ４１が第１１ピクセルＥ１１より暗く発光する。このような現象をクロストーク現象という。
【００１６】
以下、発光素子駆動過程を続けて詳述する。
スキャンラインＳ１〜Ｓ４が非発光源に連結され、スイッチＳＷがターン−オンされる。その結果、データラインＤ１〜Ｄ４が、図２（ｃ）に示すように、第２放電時間dcha２の間、所定放電電圧まで放電される。
【００１７】
次いで 、第２表示データに該当するプリチャージ電流がデータラインＤ１〜Ｄ４に印加される。ここで、第２表示データは、第１表示データが制御部１０２に入力された後、入力されるデータである。続けて、第２スキャンラインＳ２がアースに接続され、残りのスキャンラインＳ１、Ｓ３及びＳ４が非発光源に連結される。
【００１８】
次いで、第２表示データに該当するデータ電流Ｉ１２、Ｉ２２、Ｉ３２及びＩ４２がデータラインＤ１〜Ｄ４に供給され、これにより、ピクセルＥ１２〜Ｅ４２が第２発光時間ｔ２の間発光する。
【００１９】
以下、第１１ピクセルＥ１１と第１２ピクセルＥ１と２が同じ輝度で発光するように設計されたとする。
ここで、第２放電時間dcha２に対応する放電電圧が第１放電時間dcha１に対応する放電電圧と同じ大きさを有するので、第１２アノード電圧ＶＡ１２は、第１１アノード電圧ＶＡ１１と同じ大きさを有する。
【００２０】
この場合、第１１ピクセルＥ１１は、第１１アノード電圧ＶＡ１１と第１１カソード電圧ＶＣ１１との差に該当する輝度で発光し、第１２ピクセルＥ１２は、第１２アノード電圧ＶＡ１２と第１２カソード電圧ＶＣ１２との差に該当する輝度で発光する。ここで、第１１アノード電圧ＶＡ１１と第１２アノード電圧ＶＡ１２が同じ大きさを有しているのに対して、第１２カソード電圧ＶＣ１２は、第１１カソード電圧ＶＣ１１より大きな値を有する。従って、同じ輝度で発光するように既設定されたにもかかわらず、第１２ピクセルＥ１２が第１１ピクセルＥ１１より暗く発光する。
【発明の開示】
【発明が解決しようとする課題】
【００２１】
本発明は、クロストーク現象が発生しない発光素子及びその駆動方法を提供することを目的としている。
【課題を解決するための手段】
【００２２】
上記目的を達成するために、本発明の好ましい一実施形態に係る発光素子は、データライン、スキャンライン、複数のピクセル及び放電部を含む。データラインは第１方向に配列され、スキャンラインは第１方向と異なる第２方向に配列される。ピクセルはデータラインとスキャンラインが交差する領域に形成される。放電部は少なくとも２つのデータラインを放電させる。
ここで、２個のデータラインは互いに異なる放電電圧まで放電される。
【００２３】
本発明の好ましい一実施形態に係るデータラインとスキャンラインが交差する発光領域に形成される複数のピクセルを含む発光素子を駆動する方法は、データラインの中、第１最外郭データラインに第１電圧を供給する段階及び第２最外郭データラインに第２電圧を供給する段階を含む。ここで、スキャンラインに該当するピクセルの各アノード電圧は、該当カソード電圧に応じて異なる大きさを有する。
本発明に係る発光素子及びその駆動方法で、放電電圧がカソード電圧に応じて変化するので、クロストーク現象が発生しない。
【発明の効果】
【００２４】
本発明に係る発光素子及びその駆動方法で、放電電圧がカソード電圧に応じて変化するので、クロストーク現象が発生しない長所がある。
【発明を実施するための最良の形態】
【００２５】
以下では、添付図面を参照して本発明に係る発光素子及びその駆動方法の好ましい実施形態を詳細に説明する。
図３は、本発明の好ましい第１の実施形態に係る発光素子を示したブロック図である。
【００２６】
図３を参照すれば、本発明の発光素子は、パネル３００、制御部３０２、第１スキャン駆動部３０４、第２スキャン駆動部３０６、放電部３０８、プリチャージ部３１０及びデータ駆動部３１２を含む。
【００２７】
本発明の好ましい一実施形態に係る発光素子は有機電界発光素子、ＰＤＰ、およびＬＣＤなどを含む。但し、以下では、説明の便宜のために、有機電界発光素子の一例を説明する。
【００２８】
パネル３００は、データラインＤ１〜Ｄ４とスキャンラインＳ１〜Ｓ４が交差する発光領域に形成される複数のピクセルＥ１１〜Ｅ４４を含む。
各ピクセルＥ１１〜Ｅ４４は、基板上に順次に形成されるアノード電極層、有機物層及びカソード電極層を含む。
【００２９】
制御部３０２は、外部装置から表示データ、例えばＲＧＢデータを受信し、受信された表示データを用いてスキャン駆動部３０４及び３０６、放電部３０８、プリチャージ部３１０及びデータ駆動部３１２の動作を制御する。また、制御部３０２は、受信された表示データをその内部メモリーに貯蔵することができる。
【００３０】
第１スキャン駆動部３０４は、スキャンラインＳ１〜Ｓ４中の一部、例えば、Ｓ１及びＳ３に第１スキャン信号を伝送する。第２スキャン駆動部３０６は、残りのスキャンラインＳ２及びＳ４に第２スキャン信号を伝送する。その結果、スキャンラインＳ１〜Ｓ４が順次に発光源、例えばアースに接続される。
【００３１】
放電部３０８は、データラインＤ１〜Ｄ４をピクセルＥ１１〜Ｅ４４のカソード電圧に対応する放電電圧まで放電させる素子であって、第１サブ放電部３２０及び第２サブ放電部３２２を含む。
【００３２】
第１サブ放電部３２０は、図３に示すように、最外郭データラインＤ１及びＤ４中の第１最外郭データラインＤ１に連結され、第１最外郭データラインＤ１に第１電圧を供給する。
【００３３】
第２サブ放電部３２２は、図３に示すように、第２最外郭データラインＤ４に連結され、第２最外郭データラインＤ４に第２電圧を供給する。ここで、第２電圧は第１電圧と異なる大きさを有する。
【００３４】
サブ放電部３２０及び３２２に対した詳細な説明は、以下添付図面を参照して詳述する。プリチャージ部３１０は、制御部３０２の制御下に表示データに該当するプリチャージ電流を放電されたデータラインＤ１〜Ｄ４に供給する。
データ駆動部３１２は、制御部３０２の制御に従って表示データに該当するデータ信号、即ち、データ電流をプリチャージされたデータラインＤ１〜Ｄ４に供給する。その結果、ピクセルＥ１１〜Ｅ４４が発光する。
【００３５】
以下、本発明の発光素子の駆動過程を詳述する。
第１スキャンラインＳ１がアースに接続され、残りのスキャンラインＳ２〜Ｓ４は、発光素子の駆動電圧と同じ大きさの電圧を有する非発光源に連結される。
【００３６】
その後、第１表示データに該当する第１データ電流がデータラインＤ１〜Ｄ４に供給される。この場合、データラインＤ１〜Ｄ４に供給された第１データ電流は、データラインＤ１〜Ｄ４に対応するピクセルＥ１１〜Ｅ４１及び第１スキャンラインＳ１を通してアースに流れる。その結果、第１スキャンラインＳ１に該当するピクセルＥ１１〜Ｅ４１が発光する。
【００３７】
次いで、データラインＤ１〜Ｄ４は、放電時間の間、ピクセルＥ１１〜Ｅ４１のカソード電圧に対応する放電電圧まで放電される。
続けて、データラインＤ１〜Ｄ４が、第１表示データ入力後に制御部３０２に入力される第２表示データに該当するレベルまでプリチャージされる。その後、第２スキャンラインＳ２がアースに接続され、残りのスキャンラインＳ１、Ｓ３及びＳ４は、非発光源に連結される。
【００３８】
次いで、第２表示データに該当する第２データ電流が、データラインＤ１〜Ｄ４に供給される。その結果、第２スキャンラインＳ２に該当するピクセルＥ１２〜Ｅ４２が発光する。続けて、データラインＤ１〜Ｄ４が放電時間の間放電される。
【００３９】
上記のような発光過程を第４スキャンラインＳ４まで繰返し、その後、第１スキャンラインＳ１から発光過程をまた繰り返す。
【００４０】
図４（ａ）及び（ｂ）は、図３の発光素子を概略的に示した回路図、図４（ｃ）及び（ｄ）は、発光素子の駆動過程を示したタイミング図である。
図４（ａ）を参照すれば、第１サブ放電部３２０は、第１スイッチＳＷ１、４００、第１デジタル−アナログ変換器４０２（第１ＤＡＣ）及び第１バッファー４０４を含む。
【００４１】
第２サブ放電部３２２は、第２スイッチＳＷ２（４０６）、第２ＤＡＣ４０８及び第２バッファー４１０を含む。
以下、カソード電圧ＶＣ１１〜ＶＣ４４を説明した後、発光素子の駆動過程を詳述する。
【００４２】
第１スキャンラインＳ１に該当するピクセルＥ１１〜Ｅ４１のカソード電圧ＶＣ１１〜ＶＣ４１の大きさを比較する。
図４（ａ）に示すように、第１１ピクセルＥ１１とアース間の抵抗は、スキャン抵抗ＲSであり、第２１ピクセルＥ２１とアース間の抵抗は、ＲS＋ＲPである。また、第３１ピクセルＥ３１とアース間の抵抗は、ＲS＋２ＲPであり、第４１ピクセルＥ４１とアース間の抵抗は、ＲS＋３ＲPである。ここで、カソード電圧が該当ピクセルとアース間の抵抗値に比例するので、第４１カソード電圧ＶＣ４１、第３１カソード電圧ＶＣ３１、第２１カソード電圧ＶＣ２１及び第１１カソード電圧ＶＣ１１順でその値が大きい。
【００４３】
図４（ｂ）を参照すれば、第１２ピクセルＥ１２とアースと間の抵抗は、ＲS＋３ＲPであり、これにより、第１２カソード電圧ＶＣ１２が第１１カソード電圧ＶＣ１１より大きい。
以下、発光素子の駆動過程を詳述する。
【００４４】
放電部３０８は、データラインＤ１〜Ｄ４を放電させる。
以下、データラインＤ１〜Ｄ４を放電させる過程を詳細に詳述する。
【００４５】
放電時、第１スイッチＳＷ１及び第２スイッチＳＷ２がターン−オンされ、スキャンラインＳ１〜Ｓ４がＶ２電圧を有する非発光源に連結される。
次いで、第１ＤＡＣ４０２は、外部から入力される第１外部電圧Ｖ３によって第１レベル電圧を出力し、出力された第１レベル電圧は、第１バッファー４０４に入力される。また、第２ＤＡＣ４０８は、外部から入力される第２外部電圧Ｖ４によって第２レベル電圧を出力し、出力された第２レベル電圧は、第２バッファー４１０に入力される。
【００４６】
続けて、第１バッファー４０４は、入力された第１レベル電圧によって所定電流を第１最外郭データラインＤ１に供給し、これにより、第１最外郭データラインＤ１は、第１電圧を有する。また、第２バッファー４１０は、入力された第２レベル電圧によって所定電流を第２最外郭データラインＤ４に供給し、これにより、第２最外郭データラインＤ４は第２電圧を有する。ここで、第２電圧は、第１電圧と異なる大きさを有する。従って、データラインＤ１〜Ｄ４は、順次的な大きさの電圧を有し、これにより、放電時、互いに異なる放電レベルまで放電される。
但し、上の場合には、第４１カソード電圧ＶＣ４１が第１１カソード電圧ＶＣ１１より大きいので、第２電圧が第１電圧より大きい。
【００４７】
以下、第４１ピクセルＥ４１と第１１ピクセルＥ１１が同じ輝度で発光するように設計されたとする。
この場合、第４１カソード電圧ＶＣ４１が第１１カソード電圧ＶＣ１１より大きいことから、第４データラインＤ４が、図４（ｄ）に示すように、第１放電時間dcha１の間、第１データラインＤ１より大きい放電電圧まで放電される。
【００４８】
次いで、データラインＤ１〜Ｄ４が第１プリチャージ時間pcha１の間、プリチャージされる。この場合、第４データラインＤ４が、第１データラインＤ１より大きい放電電圧まで放電されたので、第４データラインＤ４が、第１データラインＤ１より大きい電圧までプリチャージされる。
続けて、第１スキャンラインＳ１がアースに接続され、残りのスキャンラインＳ２〜Ｓ４は、非発光源に連結される。
【００４９】
その後、第１表示データに該当するデータ電流Ｉ１１〜Ｉ４１が、データラインＤ１〜Ｄ４に供給され、データラインＤ１〜Ｄ４に供給されたデータ電流Ｉ１１〜Ｉ４１は、該当ピクセルＥ１１〜Ｅ４１及び第１スキャンラインＳ１を通過した後、アースに流れる。その結果、ピクセルＥ１１〜Ｅ４１が、第１発光時間ｔ１の間、発光する。但し、各ピクセルＥ１１〜Ｅ４１は、そのアノード電圧とカソード電圧との差に該当する輝度で発光する。
【００５０】
ここで、第４データラインＤ４が、第１データラインＤ１よりさらに多くプリチャージされるので、図４（ｄ）に示すように、第４１アノード電圧ＶＡ４１が第１１アノード電圧ＶＡ１１より大きい。従って、第４１ピクセルＥ４１の輝度ＶＡ４１〜ＶＣ４１は、第１１ピクセルＥ１１の輝度ＶＡ１１〜ＶＣ１１と実質的に同一である。
【００５１】
上述してはいないが、第２１ピクセルＥ２１及び第３１ピクセルＥ３１も同様に動作する。従って、第１１〜４１ピクセルＥ１１〜Ｅ４１が同じ輝度で発光するように既設定された時、ピクセルＥ１１〜Ｅ４１は実質的に同じ輝度で発光する。
【００５２】
以下、発光素子の駆動過程を続けて詳述する。
スキャンラインＳ１〜Ｓ４が非発光源に連結され、第１スイッチＳＷ１及び第２スイッチＳＷ２がターン−オンされる。
【００５３】
続けて、第１サブ放電部３２０は、第１最外郭データラインＤ１に第３電圧を供給し、第２サブ放電部３２２は、第２最外郭データラインＤ４に第４電圧を供給する。ここで、第１２カソード電圧ＶＣ１２が第４２カソード電圧ＶＣ４２より大きいので、第３電圧が第４電圧より大きな値を有する。従って、データラインＤ１〜Ｄ４は、順次的な大きさを有する放電電圧まで放電される。
【００５４】
以下、第１１ピクセルＥ１１と第１２ピクセルＥ１２に対応する放電電圧を比較する。
第１２ピクセルＥ１２のカソード電圧ＶＣ１２は、第１１ピクセルＥ１１のカソード電圧ＶＣ１１より大きいので、第１データラインＤ１は、図４（ｃ）に示すように、第１放電時間dcha１より第２放電時間dcha２の間、さらに高い放電電圧まで放電される。
【００５５】
次いで、第２表示データに該当するプリチャージ電流がデータラインＤ１〜Ｄ４に供給される。ここで、第２表示データは、第１表示データが制御部３０２に入力された後、入力されるデータである。
続けて、第２スキャンラインＳ２がアースに接続され、残りのスキャンラインＳ１、Ｓ３及びＳ４が非発光源に連結される。
【００５６】
次いで、第２表示データに該当するデータ電流Ｉ１２、Ｉ２２、Ｉ３２及びＩ４２がデータラインＤ１〜Ｄ４に供給される。この場合、第１データラインＤ１が第１放電時間dcha１より第２放電時間dcha２の間、さらに高い放電電圧まで放電されたので、第１２アノード電圧ＶＡ１２が第１１アノード電圧ＶＡ１１より大きい。従って、第１２ピクセルＥ１２と第１１ピクセルＥ１１が同じ輝度で発光するように既設定された場合、第１２ピクセルＥ１２は、第１１ピクセルＥ１１の輝度ＶＡ１１〜ＶＣ１１と実質的に同じ大きさの輝度ＶＡ１２〜ＶＣ１２で発光する。
【００５７】
要するに、本発明の発光素子駆動方法では、従来の発光素子駆動方法と違ってピクセルのアノード電圧は、そのカソード電圧によって変化される。従って、ピクセルが同じ輝度で発光するように既設定された場合、ピクセルは、そのカソード電圧に関係なく同じ輝度で発光する。従って、本発明の発光素子に含まれたパネル３００には、クロストーク現象が発生しない。
【００５８】
図５は、本発明の好ましい第２の実施形態に係る発光素子を示した回路図である。
図５を参照すれば、本発明の発光素子は、第１の実施形態の発光素子より一つ以上の第３サブ放電部５００をさらに含む。
【００５９】
第３サブ放電部５００は、最外郭データラインＤ１及びＤ４の間に位置するデータラインに所定電圧を供給する。但し、供給された電圧は、最外郭データラインＤ１〜Ｄ４に供給される電圧間の値を有する。
【００６０】
第１の実施形態では、データラインＤ１〜Ｄ４の間の抵抗Ｒｄを同じと仮定したので、一つのスキャンラインに該当するカソード電圧が線形的に変化する。従って、２つのサブ放電部３２０及び３２２だけでカソード電圧を補償することができる。
【００６１】
しかし、データラインＤ１〜Ｄ４の間の抵抗は、実質的に同一でないときもあり、これにより、カソード電圧は非線形的に変化した。従って、第２の実施形態で、発光素子は少なくとも一つの第３サブ放電部５００を利用して非線形的に変化するカソード電圧を補償する。
【００６２】
本発明の一実施形態に係る第３サブ放電部５００は、第３スイッチ５０２、第３ＤＡＣ５０４及び第３バッファー５０６を含み、これらに対する説明は、第１の実施形態の構成要素等と同一なので省略する。
【００６３】
図６は、本発明の好ましい第３の実施形態に係る発光素子を示したブロック図であり、図７は、図６の発光素子を示した回路図である。
図６を参照すれば、本発明の発光素子は、パネル６００、制御部６０２、第１スキャン駆動部６０４、第２スキャン駆動部６０６、放電部６０８、プリチャージ部６１０及びデータ駆動部６１２を含む。
【００６４】
放電部６０８を除いた残りの構成要素は、第１の実施形態の構成要素と同じ機能を遂行するので、以下説明を省略する。
放電部６０８は、第１サブ放電部６２０、第２サブ放電部６２２及び第３サブ放電部６２４を含む。
【００６５】
第１サブ放電部６２０は、データラインＤ１〜Ｄ４を所定放電電圧まで同一に放電させる。例えば、第１サブ放電部６２０は、図７に示すように、その内部に含まれたツェナーダイオード７０２を利用してツェナーダイオード７０２のツェナー電圧までデータラインＤ１〜Ｄ４を放電させる。
【００６６】
第２及び３サブ放電部６２２及び６２４は、ピクセルＥ１１〜Ｅ４４のカソード電圧を補償する。例えば、第２及び３サブ放電部６２２及び６２４は、スイッチ７０４及び７１０、ＤＡＣ７０６及び７１２及びバッファー７０８及び７１４を含む。
【００６７】
第１の実施形態では、バッファー４０４及び４１０から出力される電流を利用してカソード電圧ＶＣ１１〜ＶＣ４４を補償しているので、消費電力が大きい。しかし、第３の実施形態では、ツェナーダイオード７０２を利用してデータラインＤ１〜Ｄ４を所定放電電圧まで放電させた後、バッファー７０８及び７１４を利用して、カソード電圧ＶＣ１１〜ＶＣ４４を補償しているので、第３の実施形態の発光素子が第１の実施形態の発光素子より消費電力が低い。
【００６８】
図８は、本発明の好ましい第４の実施形態に係る発光素子を示したブロック図である。
図８を参照すれば、本発明の発光素子は、パネル８００、制御部８０２、スキャン駆動部８０４、放電部８０６、プリチャージ部８０８及びデータ駆動部８１０を含む。発光素子の構成要素は、第１の実施形態の構成要素等と類似機能を遂行しているので、以下説明を省略する。
【００６９】
第４の実施形態の発光素子では、スキャン駆動部が両方向で形成される他の実施形態と違って、スキャン駆動部８０４が、図８に示すようにパネル８００の一方向で形成される。
【００７０】
上述した本発明は、例示の目的のために開示されたものであり、本発明に対する通常の知識を有した当業者であるならば、本発明の技術的思想の範囲内で様々な修正、変更、付加が可能である。従って、このような修正、変更及び付加は、本発明の特許請求の範囲に属するものである。
【図面の簡単な説明】
【００７１】
【図１】従来の発光素子を示したブロック図である。
【図２（ａ）】図１の発光素子を概略的に示した回路図である。
【図２（ｂ）】図１の発光素子を概略的に示した回路図である。
【図２（ｃ）】図１の発光素子の駆動過程を示したタイミング図である。
【図２（ｄ）】図１の発光素子の駆動過程を示したタイミング図である。
【図３】本発明の好ましい第１の実施形態に係る発光素子を示したブロック図である。
【図４（ａ）】図３の発光素子を概略的に示した回路図である。
【図４（ｂ）】図３の発光素子を概略的に示した回路図である。
【図４（ｃ）】図３の発光素子の駆動過程を示したタイミング図である。
【図４（ｄ）】図３の発光素子の駆動過程を示したタイミング図である。
【図５】本発明の好ましい第２の実施形態に係る発光素子を示した回路図である。
【図６】本発明の好ましい第３の実施形態に係る発光素子を示したブロック図である。
【図７】図６の発光素子を示した回路図である。
【図８】本発明の好ましい第４の実施形態に係る発光素子を示したブロック図である。
【符号の説明】
【００７２】
３００  パネル
３０２  制御部
３０４  第１スキャン駆動部
３０６  第２スキャン駆動部
３０８  放電部
３１０  プリチャージ部
３１２  データ駆動部
３２０  第１サブ放電部
３２２  第２サブ放電部
Ｄ１〜Ｄ４  データライン
Ｓ１〜Ｓ４  スキャンライン
【図１】
2007156389.tif 000003
【図２（ａ）】
2007156389.tif 000004
【図２（ｂ）】
2007156389.tif 000005
【図２（ｃ）】
2007156389.tif 000006
【図２（ｄ）】
2007156389.tif 000007
【図３】
2007156389.tif 000008
【図４（ａ）】
2007156389.tif 000009
【図４（ｂ）】
2007156389.tif 000010
【図４（ｃ）】
2007156389.tif 000011
【図４（ｄ）】
2007156389.tif 000012
【図５】
2007156389.tif 000013
【図６】
2007156389.tif 000014
【図７】
2007156389.tif 000015
【図８】
2007156389.tif 000016